(57)【特許請求の範囲】
【請求項１】
鉄又は鉄を含む素材を用意して、その本体の表面の少なくとも１部において鉄部を露出させる加工を行い、
前記の素材を海底に打ち込むか又は接着し又は石などで重しをして固定し、
その鉄部が露出された前記表面によってサンゴを誘引して、前記の素材に前記サンゴを直接付着させることを特徴とするサンゴの増殖方法。
【請求項２】
前記の鉄又は鉄を含む素材として、釘、雄ネジ、ボルト、鉄筋、鉄杭又は鉄製の金網を用い、海底に沈め若しくは打ち込むか又は海底の岩や岩盤に螺入又は接着し又は石や岩で重しをして固定することを特徴とする請求項１に記載のサンゴの増殖方法。
【発明の詳細な説明】
【技術分野】
【０００１】
本発明は、簡便確実な方法でサンゴを増殖する方法に関する。
【背景技術】
【０００２】
従来のサンゴ増殖法としては、イケス等で人工的に育成した幼サンゴを海底の岩などに固定して移植し、移植後の幼サンゴを生育させサンゴ礁の形成を期待するものであった。そのため、従来のサンゴ増殖法では、幼サンゴの育成や育成した幼サンゴの移植場所までの生きたままの輸送など多大な費用を必要とする。また、移植したサンゴが死亡することがよくある。
【０００３】
これに対し、特許文献１のように、サンゴ礁海域に適した魚類増産効果の高い漁礁を開発するために、サンゴ礁海域に適した人工漁礁であり、立体構造を形成する平面の開口部や内部等に鋼製、樹脂製、または化学繊維製の網を有するようにし、この網に造礁性サンゴを針金等で同定して人工漁礁の一部とする構成が開示されている。
【先行技術文献】
【特許文献】
【０００４】
【特許文献１】特開2004-129640
【発明の概要】
【発明が解決しようとする課題】
【０００５】
しかしながら、特許文献１のように、鋼製の網を用いる構成は開示されているが、この鋼製の網を利用してサンゴを増殖できるという説明は全く無い。恐らく、鋼製でも海水で錆びにくいように亜鉛メッキしたりステンレスを使用しているからでしょう。
【０００６】
本発明は、海底でのモズク養殖においてモズクの種付けを施した網等を海底に固定する目的で使用される海底に打ち込まれた多くの鉄筋に小規模なサンゴ礁が自然に形成されることに着目し発展させたものである。この鉄筋に形成した小規模サンゴ礁の周辺の岩などには、ほとんどサンゴが確認できないという偶然な気付きから、鉄筋の材料である鉄（Ｆｅ）に何らかのサンゴの卵や幼生を誘引する働きが有るものと推測している。
本発明の技術的課題は、このような問題に着目し、鉄筋などの鉄材を海底に打ち込むなどして海底に固定すると、サンゴが誘引されて増殖できることにある。
【課題を解決するための手段】
【０００７】
本発明の技術的課題は次のような手段によって解決される。
請求項１は、鉄又は鉄を含む素材を用意して、その本体の表面の少なくとも１部において鉄部を露出させる加工を行い、前記の素材を海底に打ち込むか又は接着し又は石などで重しをして固定し、その鉄部が露出された前記表面によってサンゴを誘引して、前記の素材に前記サンゴを直接付着させることを特徴とするサンゴの増殖方法である。
【０００９】
請求項２は、前記の鉄又は鉄を含む素材として、釘、雄ネジ、ボルト、鉄筋、鉄杭又は鉄製の金網を用い、海底に沈め若しくは打ち込むか又は海底の岩や岩盤に螺入又は接着し又は石や岩で重しをして固定することを特徴とする請求項１に記載のサンゴの増殖方法である。
【発明の効果】
【００１１】
請求項１のように、鉄又は鉄を含む素材を海底に打ち込むか又は接着し又は石や岩で重しをして固定するので、素材が流されることはなく一定の位置に停滞し、鉄の成分でサンゴの卵や幼生が誘引され、サンゴが増殖しサンゴ礁となる。しかも、本発明のサンゴ増殖法では、従来のような複雑な工程は必要としない。また、請求項１のように、前記素材を研磨や傷付けで鉄部を露出させてサンゴが誘引され易くするので、サンゴの受精卵や幼生が露出した鉄部に誘引され、確実にかつ効果的に誘引されて増殖する。
【００１３】
請求項２のように、前記の鉄又は鉄を含む素材として、釘、雄ネジ、ボルト、鉄筋、鉄杭又は鉄製の金網を用い、海底に沈め若しくは打ち込むか又は海底の岩や岩盤に螺入し又は接着し又は石や岩で重しをして固定するので、通常の市販品で容易に実現でき、安価に確実に実現できる。
【図面の簡単な説明】
【００１５】
【図１】本発明によるサンゴ増殖方法の第１実施例を示す正面図である。
【図２】本発明によるサンゴ増殖方法の第２実施例を示す正面図である。
【図３】本発明によるサンゴ増殖方法の第３実施例を示す正面図である。
【図４】本発明によるサンゴ増殖方法の第４実施例を示す正面図である。
【発明を実施するための形態】
【００１６】
次に本発明によるサンゴの増殖方法が実際上どのように具体化されるか実施形態を説明する。図１は本発明によるサンゴ増殖方法の第１実施例を示す正面図である。図１のように、海底１に釘や鉄筋や鉄杭等の鉄棒２を打ち込んで固定してある。前記鉄棒２の上端２ｅは、切断や研磨の際に鉄部が露出している。時間が経つにつれてサンゴの卵や幼生が鉄部に誘引されて成長し、図１のように、鉄棒２の上端２ｅに多数のサンゴ３…が成育している。
【００１７】
図１は一例であるが、図２のように、海底１に固定された鉄棒２の上端３ｅの切断部を露出させると共に上端寄りの側面２ｓをグラインダー等で研磨し鉄部を露出させるとサンゴの卵や幼生が誘引されて成長しサンゴ３、３となる。鉄棒３の側面を研磨したり研削し又は鉄鋸やタガネなどで場所を選択して傷付けたりして鉄部を露出させると、鉄棒２の好みの側面２ｓにもサンゴ３…が付着し成長する。
【００１８】
鉄棒３の側面の傷を複数箇所に付けて鉄部を露出させると、図３のように、鉄棒２の側面２ｓの複数箇所にサンゴ３…を付着・成長させることもできる。従って、鉄棒２の側面２ｓのサンゴ３…の付着・成長する場所を選択して、サンゴが付着・成長する場所を制御することで美しく仕上げ、水槽の中であれば、観賞用とすることもできる。なお、付近のサンゴが鉄棒２の側面２ｓに付着して成長することもある。
【００１９】
海底に固定する鉄素材として、鉄の切断や切削で生じた鉄粉や削りカスをセメントや石膏に混合して硬化させたものを海底に固定する方法もある。特に鉄粉や削りカスは鉄筋の切断面同様に鉄部がよく露出しているので、サンゴを誘引しやすい。また鉄粉や削りカスを接着剤に練り込み、海底の岩などに直接付着させ硬化させ固定すれば、同様の効果が期待できる。
【００２０】
毎年５〜６月の満月の夜にサンゴが産卵するが、受精した卵や幼生が鉄に誘引されるように鉄製の金網を海面付近に浮かべておき、しばらくしてから海底に沈める手法も可能である。なお、金網を海面に浮かべるには、発泡スチロール製の浮体や浮きを縛っておき、海底に沈める時点で切り離せばよく、サンゴの群体を形成でき、白化現象により死滅したサンゴ群の再生が期待できる。前記金網は、鉄部を露出させるべく、コンクリート面の上で表側も裏側も引きずって各所に傷を付けるのが好ましい。
【産業上の利用可能性】
【００２１】
以上のように、サンゴの卵や幼生の居そうな海域で海水を汲み上げた水槽またはサンゴを飼育している水槽に鉄製の材料や鉄を含んだ素材を入れておき、鉄の成分にサンゴが誘引され付着して成長するので、容易にかつ確実にサンゴを増殖でき、本来法律で採集が禁止されている天然のサンゴを採集することなく観賞用などにも利用することができる。
【符号の説明】
【００２２】
１  海底
２  鉄棒
２e 上端
２s 側面
３  サンゴ
【要約】      （修正有）【課題】簡便確実な方法でサンゴを増殖できる方法を提供する。【解決手段】サンゴ３の増殖方法であって、鉄又は鉄を含む素材を海底１に打ち込むか又は接着し又は石などで重しをして固定する。具体的には、前記の鉄又は鉄を含む素材として、釘、雄ネジ、ボルト、鉄筋、鉄杭又は鉄製の金網を用い、海底１に打ち込むか又は海底１の岩や岩盤に螺入又は接着し又は石や岩で重しをして固定する。前記の素材の鉄部を露出させてサンゴ３が誘引され易くすると、確実に増殖できる。鉄部を露出させるには、グラインダーで研磨したり、タカネで傷付けたり、金鋸で切り目を入れたりする。なお、鉄製の立体構造物を海底に沈めると、人工漁礁も可能となる。【選択図】図１【図１】
0006712348.tif 000002
【図２】
0006712348.tif 000003
【図３】
0006712348.tif 000004
【図４】
0006712348.tif 000005